(57)【特許請求の範囲】
【請求項１】
硬貨入金部から投入される硬貨を収納する、伸縮可能な構造である硬貨収納部と、
前記硬貨収納部を格納する第一の空間と、
前記第一の空間の近傍に設けられた第二の空間と、
前記第一の空間と、前記第二の空間とを隔離するように、移動可能とする仕切り板と、
を備えることを特徴とする売上金入金機。
【請求項２】
請求項１記載の売上金入金機であって、
制御部をさらに備え、
前記制御部は、前記仕切り板を制御することで前記硬貨収納部を伸縮させることを特徴とする売上金入金機。
【請求項３】
請求項２記載の売上金入金機であって、
前記仕切り板と連動し、前記硬貨収納部への接触を防止するためのカバーをさらに備えることを特徴とする売上金入金機。
【請求項４】
請求項２又は３記載の売上金入金機であって、
前記硬貨収納部が前記売上金入金機に装填されたことを検知する第一のセンサをさらに備え、
前記制御部は、前記第一のセンサが前記硬貨収納部の装填を検知する場合、前記仕切り板を上昇させることを特徴とする売上金入金機。
【請求項５】
請求項４記載の売上金入金機であって、
利用者による操作を受け付ける操作部と入金処理に必要な画面を表示する表示部とを兼ねる操作表示部と、前記硬貨収納部のニアフルを検知する第二のセンサと、をさらに備え、
前記制御部は、前記第二のセンサによって前記硬貨収納部のニアフルを検知した場合、前記操作表示部にその旨を警告する画面を表示することを特徴とする売上金入金機。
【請求項６】
請求項４記載の売上金入金機であって、
前記硬貨収納部のニアフルを検知する第二のセンサと、
前記第二の空間に収納された前記硬貨の収納容量、前記硬貨の収納位置及び前記仕切り板の位置を検出する第三のセンサをさらに有し、
前記第二のセンサが、前記硬貨収納部のニアフルを検知すると、
前記第三のセンサは、前記収納位置及び前記仕切り板の位置を検出し、
前記制御部は、前記収納位置と前記仕切り板の位置との距離が予め定めた第一の値以上である場合、前記仕切り板を予め定めた第二の値だけ下降させることを特徴とする売上金入金機。
【請求項７】
請求項６記載の売上金入金機であって、
利用者による操作を受け付ける操作部と入金処理に必要な画面を表示する表示部とを兼ねる操作表示部を備え、
前記制御部は、前記距離が予め定めた第一の値未満である場合、前記操作表示部にその旨を警告する画面を表示することを特徴とする売上金入金機。
【請求項８】
請求項７記載の売上金入金機であって、
前記制御部は、前記距離から、前記硬貨収納部がニアフルとなる時刻を算出し、前記操作表示部に該時刻を表示することを特徴とする売上金入金機。
【発明の詳細な説明】
【技術分野】
【０００１】
本発明は、小売店舗等に設置される売上金入金機に関する。
【背景技術】
【０００２】
スーパーやコンビニエンスストア等の小売店舗において、店舗の売上金である貨幣（紙幣、硬貨）を収納する売上金入金機が用いられている。売上金は、売上金入金機の内部に装填された貨幣カセット（紙幣カセットおよび硬貨カセット）に収納されており、一定期間経過時または貨幣カセット収納容量に応じて警備会社の担当者によって当該貨幣カセットが回収され、新たな貨幣カセットを売上金入金機に装填する。
【０００３】
本技術分野の背景技術として、特開平６−２６６９６３号公報（特許文献１）がある。当該特許文献には、新たな硬貨カセットに翌日に使用する釣銭用の貨幣（釣銭準備金）を収納した状態で売上金入金機に装填し、装填後に釣銭準備金を硬貨カセットと別に設けられた保管庫に移動させ硬貨カセットを空にすることにより、売上金の入金を可能とした売上金入金機が開示されている。
【先行技術文献】
【特許文献】
【０００４】
【特許文献１】特開平６−２６６９６３号公報
【発明の概要】
【発明が解決しようとする課題】
【０００５】
従来の売上金入金機は、硬貨カセットの装填空間と別に釣銭準備金を収納するを別途保管庫を設けている。上記特許文献１に記載された売上金入金機の場合は、硬貨カセットの装填空間の下部に保管庫を設けているが、硬貨カセットの装填空間の隣に保管庫を設ける場合もある。
【０００６】
しかし、硬貨カセットの装填空間と別に保管庫を設けることによって、売上金入金機が大型化するという課題が生じていた。
【０００７】
そこで、本発明は、硬貨カセットの装填空間の一部を保管庫として使用することにより、従来の売上金入金機に比べて小型化された売上金入金機を提供する。すなわち、硬貨カセットの装填空間と釣銭準備金の保管スペースとを一部共有化することにより、新たに保管庫を設けることなく、釣銭準備金を保管することができる売上金入金機を提供する。
【課題を解決するための手段】
【０００８】
上記の課題を解決するために、本発明における売上金入金機は、硬貨カセットを伸縮可能な構成とする。また、硬貨カセットを装填する空間と釣銭準備金を保管する空間とを共通の空間とし、移動可能とする押板によって、当該共通空間を硬貨カセットを装填する空間と釣銭準備金を保管する空間とに隔離する。さらに、新たな硬貨カセットを装填した後、押板を移動させて硬貨カセットを装填する空間を縮める（硬貨カセットを縮める）ことにより、釣銭準備金を保管する空間を拡げる。
【発明の効果】
【０００９】
本発明によれば、硬貨カセットを装填する空間の一部を釣銭準備金を保管する空間として使用することにより、釣銭準備金を保管する保管庫を別途設ける必要が無くなる。そのため、売上金入金機の小型化が実現可能である。
【図面の簡単な説明】
【００１０】
【図１】売上金入金機の構成例を示した図である。
【図２】売上金入金機の機能ブロック図である。
【図３】硬貨カセットの外観斜視図である。
【図４】貨幣カセット収納部が売上金入金機の内部に収納された図である。
【図５】売上金入金機の操作に使用されるカードの例を示す図である。
【図６】初期処理を示すフローチャートである。
【図７】スタンバイ画面を示す図である。
【図８】実施例１における、入金処理を示すフローチャートである。
【図９】売上金投入指示画面を示す図である。
【図１０】処理中画面を示す図である。
【図１１】入金額表示画面を示す図である。
【図１２】硬貨を硬貨カセットに搬送させる処理を示すフローチャートである。
【図１３】ニアフル警告画面を示す図である。
【図１４】フル警告画面を示す図である。
【図１５】実施例１における、貨幣カセットの回収等を示すフローチャートである。
【図１６】実施例１における、収納部引出指示画面を示す図である。
【図１７】実施例１における、釣銭準備金セット指示画面を示す図である。
【図１８】実施例１における、押板の制御を示す図である。
【図１９】実施例１における、集計処理を示すフローチャートである。
【図２０】実施例１における、釣銭準備金の取出処理を示すフローチャートである。
【図２１】実施例２における、貨幣カセットの回収等を示すフローチャートである。
【図２２】実施例２における、釣銭準備金の取出処理を示すフローチャートである。
【図２３】実施例２における、入金処理を示すフローチャートである。
【図２４】実施例２における、押板の制御を示す図である。
【図２５】実施例３における、貨幣カセット収納部を示す図である。
【図２６】実施例３における、ニアフル予測データベースを示す図である。
【図２７】実施例３における、ニアフル予測処理を示すフローチャートである。
【図２８】実施例３における、ニアフル予測日の算出方法を示す図である。
【図２９】実施例３における、ニアフル予測画面を示す図である。
【発明を実施するための形態】
【実施例１】
【００１１】
本実施例の売上金入金機を説明する前に、一般的な売上金入金機について説明する。
スーパーやコンビニエンスストア等の小売店舗において、店舗の一日の売上金である貨幣（紙幣、硬貨）を売上金入金機に入金する。入金された貨幣は計数され、店舗の担当者により、入金確定操作が行われた後に、売上金入金機の内部に装填された貨幣カセット（紙幣カセットおよび硬貨カセット）に収納される。貨幣カセット内の貨幣は、管理上、警備会社の物となるため、店舗の担当者は貨幣カセットにアクセスすることは不可能である。
【００１２】
また、売上金入金機には、翌日に使用する釣銭用の貨幣（釣銭準備金）を収納する機能を備えている場合が多い。釣銭準備金については、店舗の担当者が自由に売上金入金機から取り出すことが可能である。すなわち、上記貨幣カセット内の貨幣とは異なり、釣銭準備金は店舗の物であるため、店舗の担当者が自由にアクセスすることは何ら問題が無い。
【００１３】
以下、本実施例における売上金入金機について、図面を参照して説明する。
図１は、売上金入金機の構成例を側面から示した図である。
売上金入金機１は、紙幣について入金処理を行う紙幣処理部１００と、硬貨について入金処理を行う硬貨処理部１１０と、貨幣カセットを収納する貨幣カセット収納部１２０と、操作部および表示部を備える操作表示部１３１と、入金情報および装置情報等を明細票として出力する明細票印字部１３２と、操作時に使用するカードを読取るカード読取部１３３とを備えている。
【００１４】
紙幣処理部１００は、装置外から紙幣が投入される紙幣入金部１０１と、投入された紙幣を一枚ずつ分離して繰り出す紙幣繰出部１０２と、紙幣繰出部１０２で繰り出された紙幣を搬送する紙幣搬送部１０３と、紙幣の真偽等を識別する紙幣識別部１０４と、紙幣識別部１０４の識別結果に基づいて紙幣を振分ける紙幣振分け部１０５と、紙幣識別部１０４の識別結果から異常な紙幣と判定された紙幣を装置外に排出させる紙幣リジェクト部１０６と、紙幣識別部１０４の識別結果から正常な紙幣と判定された紙幣を一時保留させる紙幣一時保留部１０７と、紙幣一時保留部１０７の開閉を制限する紙幣一時保留部ロック機構１０８と、紙幣一時保留部１０７に集積された紙幣が所定の枚数に達した場合、または操作表示部１３１において入金確定操作をした場合に紙幣を収納する紙幣カセット１０９とを備えている。紙幣一時保留部１０７は、上述の一時保留機能の他、操作表示部１３１において入金キャンセル操作をした場合に紙幣を返却する紙幣返却部としての機能も有している。
【００１５】
硬貨処理部１１０は、装置外から硬貨が投入される硬貨入金部１１１と、投入された硬貨を一枚ずつ分離して繰り出す硬貨繰出部１１２と、硬貨繰出部１１２で繰り出された硬貨を搬送する硬貨搬送部１１３と、硬貨の真偽等を識別する硬貨識別部１１４と、硬貨識別部１１４の識別結果に基づいて硬貨を振分ける硬貨振分け部１１５と、硬貨識別部１１４の識別結果から異常な硬貨と判定された硬貨を装置外に排出させる硬貨リジェクト部１１６と、硬貨識別部１１４の識別結果から正常な硬貨と判定された硬貨を一時保留させる硬貨一時保留部１１７と、操作表示部１３１において入金キャンセル操作をした場合に硬貨を返却する硬貨返却部１１８と、硬貨返却部１１８の開閉を制限する硬貨返却部ロック機構１１９と、硬貨一時保留部１１７に集積された硬貨が所定の枚数に達した場合、または操作表示部１３１において入金確定操作をした場合に硬貨を収納する硬貨カセット２００とを備えている。
【００１６】
紙幣一時保留部１０７および硬貨返却部１１８は、それぞれ売上金入金機１の前面側（図１の左側）に引き出すことが可能であるが、紙幣一時保留部ロック機構１０８および硬貨返却部ロック機構１１９によって、装置前面側への引き出しが制限される。なお、操作表示部１３１において入金キャンセル操作をした場合、紙幣一時保留部ロック機構１０８および硬貨返却部ロック機構１１９のロックを解除することで、紙幣一時保留部１０７および硬貨返却部１１８から、紙幣および硬貨を取り出すことが可能となる。
【００１７】
貨幣カセット収納部１２０は、売上金入金機１の前面側に引き出すことが可能であり、装置前面側に扉１２１を備えている。店舗の担当者は、扉１２１を開くことで装置内の（店舗の担当者がアクセス可能である）釣銭準備金を取出すことができる。また、貨幣カセット収納部１２０は、硬貨カセット２００を収納する硬貨カセット収納空間１２２と、紙幣カセット１０９を収納する紙幣カセット収納空間１２３と、貨幣カセット収納部１２０の前面側への引き出しを制限する貨幣カセット収納部ロック機構１２４と、貨幣カセット収納部１２０が売上金入金機１にセットされたことを検知する貨幣カセット収納部セット検知センサ１２５を備えている。
【００１８】
操作表示部１３１は、一般的にＬＣＤ（Ｌｉｑｕｉｄ  Ｃｒｙｓｔａｌ  Ｄｉｓｐｌａｙ）が用いられているが、本実施例の操作表示部１３１もＬＣＤを用いるものとする。なお、本実施例では操作部と表示部とを兼用したタッチパネルとして説明するが、操作部と表示部とを別途設けた構成としても良い。
【００１９】
また、カード読取部１３３は、一般的に磁気カードリーダやＲＦＩＤ（Ｒａｄｉｏ  Ｆｒｅｑｕｅｎｃｙ  ＩＤｅｎｔｉｆｉｃａｔｉｏｎ）カードリーダ等が用いられているが、本実施例のカード読取部１３３はＲＦＩＤカードリーダとする。
【００２０】
図２は売上金入金機の機能ブロック図である。売上金入金機１には、上述した紙幣処理部１００、硬貨処理部１１０、貨幣カセット収納部１２０、操作表示部１３１、明細票印字部１３２、カード読取部１３３の他に、警備会社のホストコンピュータ等の外部装置と情報の授受を行う通信処理部１３４と、各種の処理に必要な情報を記憶するメモリ等の記憶部１３５と、各部を制御する制御部１３６とを備えている。これらの紙幣処理部１００、硬貨処理部１１０、貨幣カセット収納部１２０、操作表示部１３１、明細票印字部１３２、カード読取部１３３、通信処理部１３４は、制御部１３６の制御の下に必要な動作を行う。
【００２１】
図３は、硬貨カセット２００の外観斜視図である。硬貨カセット２００は、硬貨カセット収納空間１２２に硬貨カセットを装填させるための機構を有する機構部２０１と、硬貨を内部に収納する硬貨収納部２１１を備えている。
【００２２】
機構部２０１は、硬貨をカセットの内部に導入する硬貨受入口２０２と、硬貨収納部２１１と合わせた状態で固定する硬貨収納部ロック機構２０３と、硬貨収納部２１１との接続部２０４とを備えている。また、硬貨収納部２１１は、不織布、ゴムなどの伸縮可能な素材を用いたり、蛇腹構造のように伸縮可能な構造で構成されており、搬送する際に持ち手となる取手部２１２と、機構部２０１との接続部２１３とを備えている。
【００２３】
硬貨カセット２００に収納された売上金は、警備会社の担当者によって取り出されるが、この場合、ロック解除キー２２０を用いて機構部２０１と硬貨収納部２１１とを分離してから、収納された硬貨を取り出す。すなわち、機構部２０１と硬貨収納部２１１との分離は、店舗の担当者が行わず、警備会社において売上金を精査する段階で行われるため、硬貨カセット２００の回収時におけるセキュリティを確保することができる。
【００２４】
図４は、貨幣カセット収納部１２０が売上金入金機１の内部に収納された図である。なお、説明の便宜上、紙幣カセット収納空間１２３については図示を省略している。硬貨カセット収納空間１２２には、硬貨カセット２００がセットされたことを検知する硬貨カセットセット検知センサ３０１と、装置前面側に設けられた硬貨カセットアクセス防止カバー３０２と、硬貨カセット２００を売上金入金機の上下方向に伸縮させるための押板３０３と、硬貨カセット２００と押板３０３とを接続する硬貨カセットロック機構３０４と、扉１２１の開閉を制限する扉ロック機構３０５と、釣銭準備金収納量センサ３０６と、硬貨カセットがまもなく満杯に達することを示す設定値（以下、「ニアフル」とする）を検知するニアフル検知センサ３０７と、硬貨カセットが満杯であることを検知するフル検知センサ３０８と、扉１２１の開閉状態を検知する扉開閉検知センサ３０９とを備えている。また、硬貨カセット収納空間１２２の一部を、釣銭準備金収納空間３１０として用いている。
【００２５】
硬貨カセットアクセス防止カバー３０２は、押板３０３と連動するように構成されており、扉１２１の開口部の位置まで押板３０３が下がった場合に、硬貨カセット２００への扉１２１からのアクセスを防止し、セキュリティを向上させるために設けられている。すなわち、硬貨カセットアクセス防止カバー３０２は、入金が確定したことにより、管理上警備会社の物となった硬貨について、店舗の担当者がアクセスを防止するために設けられている。
【００２６】
押板３０３は、硬貨カセット収納空間１２２と釣銭準備金収納空間３１０とを隔離するための仕切り板としての機能を有しており、押板３０３が上下することにより、硬貨カセット収納空間１２２および釣銭準備金収納空間３１０の大きさが変動する。
【００２７】
釣銭準備金収納量センサ３０６は、センサを上下方向に複数配置したものであり、釣銭準備金の収納高さを検出するために設けられている。釣銭準備金の収納高さを検出することで、釣銭準備金の収納容量に応じて押板３０３の位置を移動させることを可能としている。
【００２８】
また、この売上金入金機１は、押板３０３、硬貨カセットロック機構３０４、および扉ロック機構３０５を駆動させるための図示しないモータ、ソレノイド、センサ等を有しており、センサで装置の状態を監視しながら、モータ及びソレノイド等を駆動制御する。
【００２９】
図５は、売上金入金機１の操作に使用するカードの例である。具体的には、売上金である貨幣を入金するときに店舗の担当者が使用する入金カード５０１、紙幣カセット１０９および硬貨カセット２００の回収と装填をするときに警備会社の担当者が使用する回収・装填カード５０２、売上金である貨幣の入金額を集計するときに店舗の担当者が使用する集計カード５０３、釣銭準備金を取り出すときに店舗の担当者が使用する釣銭取出カード５０４等がある。これらのカードは、一般的に磁気カードやＲＦＩＤカードが用いられているが、本実施例ではＲＦＩＤカードとする。
【００３０】
なお、本実施例では、店舗の担当者が使用するカード（入金カード５０１）と警備会社の担当者が使用するカード（回収・装填カード５０２）、店舗の管理者または担当者が使用するカード（集計カード５０３、釣銭取出カード５０４）とを別の物にすることにより、利用者の使用可能な機能を制限しているが、ＩＤおよびパスワードの入力等の他の方法を用いても良い。
【００３１】
次に、売上金入金機１における処理について、説明する。
図６は、図５に示したカードを用いて各種処理を開始する初期処理を示すフローチャートである。制御部１３６は、図７に示すようなスタンバイ画面７０１を操作表示部１３１に表示させ、カードのセットを受け付ける（ステップＳ６０１）。カードがセットされた場合（ステップＳ６０１：Ｙ）、カード読取部１３３にてカードの種類を読み取り（ステップＳ６０２）、セットされたカードの種類に応じた処理を開始する。以下、（１）入金カード５０１がセットされたときに行われる売上金の入金処理、（２）回収・装填カード５０２がセットされた時に行われる貨幣カセットの回収と装填、（３）集計カード５０３がセットされたときに行われる入金金額および回収金額の集計処理、（４）釣銭取出カード５０４がセットされたときに行われる釣銭準備金の取り出し、（５）釣銭準備金が内部に収納された状態において、入金カード５０１がセットされたときに行われる売上金の入金処理について詳細に説明する。
【００３２】
（１）売上金の入金処理
図８は、売上金入金機１の売上金の入金処理を示すフローチャートである。制御部１３６は、図９に示すような売上金投入指示画面９０１を操作表示部１３１に表示させ、店舗の担当者に、売上金である紙幣および硬貨を紙幣入金部１０１および硬貨入金部１１１に投入するように指示する（ステップＳ８０１）。売上金投入指示画面９０１には、「投入完了」キー９０２が表示されており、「投入完了」キー９０２が押されたことを検知する（ステップＳ８０２）。
【００３３】
「投入完了」キー９０２が押されたことを検知した場合（ステップＳ８０２：Ｙ）、制御部１３６は、紙幣繰出し部１０２を制御して紙幣を１枚ずつ繰出し、紙幣搬送路１０３を制御して紙幣識別部１０４まで紙幣を搬送させ、硬貨繰出し部１１２を制御して硬貨を１枚ずつ繰出し、硬貨搬送路１１３を制御して硬貨識別部１１４まで硬貨を搬送させ、紙幣および硬貨の識別を行う（ステップＳ８０３）。また、制御部１３６は、図１０に示すような処理中である旨を示す処理中画面１００１を操作表示部１３１に表示させる。
【００３４】
紙幣識別部１０４および硬貨識別部１１４における識別の結果、正常と判断された場合（ステップＳ８０３：Ｙ）、紙幣は紙幣一時保留部１０７に搬送され、硬貨は硬貨一時貯留部１１７に搬送される（ステップＳ８０４）。一方、紙幣識別部１０４および硬貨識別部１１４における識別の結果、異常と判断された場合（ステップＳ８０３：Ｎ）、紙幣は紙幣リジェクト部１０６に搬送され、硬貨は硬貨リジェクト部１１６に搬送される（ステップＳ８０５）。ステップＳ８０３〜Ｓ８０５の各処理は、紙幣投入部１０３および硬貨投入部１１１に紙幣および硬貨が無くなるまで行われる（ステップＳ８０６：Ｙ）。
【００３５】
紙幣および硬貨の識別および搬送の終了後、制御部１３６は、図１１に示すような計数済みの金額１１０２を含む入金額表示画面１１０１を操作表示部１３１に表示させ（ステップＳ８０７）、入金処理の確定あるいはキャンセルを受け付ける（ステップＳ８０８）。
【００３６】
入金額表示画面１１０１において、「確定」キー１１０３が押された場合（ステップＳ８０８：Ｙ）、紙幣一時保留部１０７内の紙幣を紙幣カセット１２５に搬送させるとともに、硬貨一時貯留部１１６内の硬貨を硬貨カセット２００に搬送させる（ステップＳ８０９）。紙幣および硬貨の移動終了後、制御部１３６は、通信部１３４に対して、入金金額等の入金処理に関する情報を警備会社のホストコンピュータに送信させる制御を行う（ステップＳ８１０）。また、制御部１３６は、明細票印字部１３２に対して、入金処理に関する情報を明細票に印字させる制御を行う（ステップＳ８１１）。さらに、制御部１３６は、入金金額を記憶部１３５内に記憶し、後述する売上金の集計処理に用いる（ステップＳ８１２）。
【００３７】
図１２は、硬貨を硬貨カセット２００に搬送させる処理を示したフローチャートである。硬貨カセット２００に硬貨が収納され、ニアフル検知センサ３０７によって硬貨を検知した場合（ステップＳ１２０１：Ｙ）、制御部１３６は、図１３に示すようなニアフル警告画面１３０１を操作表示部１３１に表示させ、入金処理を継続させるか否かを店舗の担当者に選択させる（ステップＳ１２０２）。
【００３８】
ニアフル警告画面１３０１において、「入金継続」キー１３０２が押された場合（ステップＳ１２０３：Ｙ）、入金処理が継続される。一方、「キャンセル」キー１３０３が押された場合（ステップＳ１２０３：Ｎ）、入金処理は終了となる。
【００３９】
その後、フル検知センサ３０８によって硬貨を検知した場合（ステップＳ１２０４：Ｙ）、制御部１３６は、図１４に示すようなフル警告画面１４０１を操作表示部１３１に表示させ、入金処理を中止させる（ステップＳ１２０５）。
【００４０】
図８のフローチャートに戻って説明するが、入金額表示画面１１０１において、「キャンセル」キー１１０４が押された場合（ステップＳ８０８：Ｎ）、制御部１３６は、硬貨一時保留部１１６内の硬貨を硬貨返却部１１８に搬送させる（ステップＳ８１３）。その後、紙幣一時保留部ロック機構１０８および硬貨返却部ロック機構１１９のロックを解除する（ステップＳ８１４）。上記ロックの解除によって、店舗の担当者は紙幣一時保留部１０７内の紙幣と硬貨返却部１１８内の硬貨を取り出すことが可能になる。
【００４１】
（２）貨幣カセットの回収と装填
図１５は、貨幣カセットの回収と装填を示すフローチャートである。制御部１３６は、硬貨カセットロック機構３０４のロック解除と貨幣カセット収納部ロック機構１２４のロック解除とを行う（ステップＳ１５０１）。また、制御部１３６は、図１６に示すような貨幣カセット収納部１２０を引き出す旨を指示する、収納部引出指示画面１６０１を操作表示部１３１に表示させる（ステップＳ１５０２）。
【００４２】
以下、貨幣カセットの回収と装填の一例として、売上金が収納された硬貨カセット２００（以下、説明上２００ａとする）の回収と、空の硬貨カセット２００（以下、説明上２００ｂとする）の装填について詳細に説明する。制御部１３６は、硬貨カセットセット検知センサ３０１により、売上金が収納された硬貨カセット２００ａが抜き取られたことを検知した場合（ステップＳ１５０３：Ｙ）、押板３０３を下降させる（ステップＳ１５０４）。警備会社の担当者は、硬貨カセット２００ａに代えて、空の硬貨カセット２００ｂを売上金入金機１に装填することが可能となる。なお、ステップＳ１５０４において、押板３０３を下降させることとしたのは、使用状況によっては押板３０３が上にあることで、硬貨カセット２００ａと硬貨カセット２００ｂとの交換がしにくくなる場合を考慮したためである。
【００４３】
制御部１３６は、硬貨カセットセット検知センサ３０１により、硬貨カセット２００ｂが装填されたことを検知した場合（ステップＳ１５０５：Ｙ）、押板３０３を上昇させて硬貨カセットセットロック機構３０４をロックし、硬貨カセット２００ｂと結合させる（ステップＳ１５０６）。このとき、図４に示すように、押板３０３を上昇させることによって、硬貨カセット収納空間１２２の一部を釣銭準備金収納空間３１０として用いることが可能になる。
【００４４】
その後、制御部１３６は、貨幣カセット収納部セット検知機構１２５により、貨幣カセット収納部がセットされたことを検知した場合（ステップＳ１５０７：Ｙ）、貨幣カセット収納部ロック機構１２４をロックする（ステップＳ１５０８）。さらに、扉ロック機構３０５を解除する（ステップＳ１５０９）。また、制御部１３６は、図１７に示すような釣銭準備金を釣銭準備金収納空間３１０にセットさせる旨を指示する、釣銭準備金セット指示画面１７０１を操作表示部１３１に表示させる（ステップＳ１５１０）。店舗の担当者は、釣銭準備金移動指示画面１４０１を見ながら扉１２１を開け、事前に準備した釣銭準備金を釣銭準備金収納空間３１０へセットする。その後、制御部１３６は、扉開閉検知センサ３０９によって扉１２１が閉められたことを検知した場合（ステップＳ１５１１：Ｙ）、扉ロック機構３０５をロックさせる（ステップＳ１５１２）。
【００４５】
扉ロック機構３０５をロックさせた後、図１８に示すように、制御部１３６は釣銭準備金の収納容量を釣銭準備金収納センサ３０６にて検出し（ステップＳ１５１３）、釣銭準備金の収納容量に応じて押板３０３を下げることにより、硬貨カセット２００ｂを引き伸ばす制御を行う（ステップＳ１５１４）。
【００４６】
硬貨カセット２００の回収および装填の終了後、制御部１３６は、通信部１３４に対して、回収金額を含む回収情報を警備会社のホストコンピュータに送信させる制御を行う（ステップＳ１５１５）。なお、回収金額とは、入金処理毎に記憶部１３５に記憶された入金金額の合計金額のことである。また、制御部１３６は、明細票印字部１３２に対して、回収情報を明細票に印字させる制御を行い（ステップＳ１５１６）、記憶部１３５に記憶された回収金額を０円にリセットする（ステップＳ１５１７）。
【００４７】
（３）入金金額および回収金額の集計処理
図１９は、入金金額および回収金額の集計処理を示すフローチャートである。制御部１３６は、前回の集計処理の実施時から今回の集計処理までの間に行われた、入金金額および回収金額の集計を行う（ステップＳ１９０１）。その後、制御部１３６は、通信部１３４に対して、集計された入金金額および回収金額を警備会社のホストコンピュータに送信させる制御を行う（ステップＳ１９０２）。また、制御部１３６は、明細票印字部１３２に対して、集計された入金金額および回収金額を明細票に印字させる制御を行う（ステップＳ１９０３）。集計された入金金額および回収金額は、上記明細票印字処理の完了後に、記憶部１３５から削除することが可能であるが、店舗側の運用次第により削除又は維持を選択しても良い。
【００４８】
（４）釣銭準備金の取り出し
図２０は、釣銭準備金収納空間３１０から釣銭を取り出す処理を示すフローチャートである。制御部１３６は、扉ロック３０５機構のロックを解除する（ステップＳ２００１）。店舗の担当者は、釣銭準備金収納空間３１０に収納された釣銭準備金を取り出すことが可能となる。
【００４９】
制御部１３６は、扉開閉検知センサ３０９によって扉１２１が閉められたことを検知した場合（ステップＳ２００２：Ｙ）、扉ロック機構３０５をロックさせる（ステップＳ２００３）。その後、図１５に示すように、釣銭準備金の収納容量を釣銭準備金収納センサ３０６にて検出し（ステップＳ２００４）、釣銭準備金の収納容量に応じて押板３０３を下げることにより、硬貨カセット２００ｂを引き伸ばす制御を行うことで、硬貨カセット２００の収納容量を増やすことを可能とする（ステップＳ２００５）。
【００５０】
釣銭準備金の取り出し後、制御部１３６は、通信部１３４に対して、釣銭準備金の残量等を含む釣銭取り出し情報を警備会社のホストコンピュータに送信させる制御を行う（ステップＳ２００６）。
【００５１】
なお、釣銭準備金を釣銭準備金収納空間３１０から取り出す際、一度に全てを取り出す必要はなく、必要に応じた量を複数回に分けて取り出すことが可能である。
【００５２】
（５）釣銭準備金が内部に収納された状態における売上金の入金処理
釣銭準備金収納空間３１０に釣銭準備金が収納された場合であっても、上述の構成を採用することによって、売上金の入金処理が可能となる。売上金の入金処理は、図８および図１２に示したフローチャートと同様の処理であるため、詳細な説明は省略する。
【００５３】
以上のように、本実施例における売上金入金機では、硬貨カセットを装填する空間の一部を釣銭準備金を保管する空間として使用することで、釣銭準備金を保管する保管庫を別途設ける必要が無いため、売上金入金機の高さ方向の小型化を可能としている。
【実施例２】
【００５４】
実施例１の場合、硬貨カセット２００を売上金入金機に装填後、押板３０３を下げることにより、硬貨カセット２００を引き伸ばしている。また、釣銭準備金収納空間３１０から釣銭準備金が取り出された後、押板３０３を下げることにより、硬貨カセット２００を引き伸ばしている。すなわち、図１８（ｂ）に示すように、押板３０３と釣銭準備金収納空間３１０に収納された釣銭準備金の上端との距離を近付けている。
【００５５】
一方、本実施例の場合は、硬貨カセット２００を売上金入金機に装填後、あるいは釣銭準備金収納空間３１０から釣銭準備金が取り出された後に押板３０３を下げずに入金処理を行う。そのため、押板３０３と釣銭準備金収納空間３１０に収納された釣銭準備金との間に十分な空間を確保することにより、一旦釣銭準備金収納空間３１０から取り出した釣銭準備金を、再度釣銭準備金収納空間３１０に収納することが可能となる。
【００５６】
以下、本実施例における売上金入金機について図面を参照して説明する。
【００５７】
（１）売上金の入金処理
実施例１と同様であるため、詳細な説明は省略する。
【００５８】
（２）貨幣カセットの回収と装填
図２１は、貨幣カセットの回収と装填を示すフローチャートである。以下、実施例１の場合と同様に、売上金が収納された硬貨カセット２００（以下、説明上２００ａとする）の回収と、空の硬貨カセット２００（以下、説明上２００ｂとする）の装填を例にして説明する。
【００５９】
制御部１３６は、硬貨カセットロック機構３０４のロック解除と貨幣カセット収納部ロック機構１２４のロック解除とを行う（ステップＳ２１０１）。また、制御部１３６は、図１６に示すような収納部引出指示画面１６０１を操作表示部１３１に表示させる（ステップＳ２１０２）。
【００６０】
硬貨カセットセット検知センサ３０１により、売上金が収納された硬貨カセット２００ａが抜き取られたことを検知した場合（ステップＳ２１０３：Ｙ）、制御部１３６は、押板３０３を下降させる（ステップＳ２１０４）。警備会社の担当者は、硬貨カセット２００ａに代えて、空の硬貨カセット２００ｂを売上金入金機１に装填することが可能となる。
【００６１】
硬貨カセットセット検知センサ３０１により、硬貨カセット２００ｂが装填されたことを検知した場合（ステップＳ２１０５：Ｙ）、制御部１３６は、押板３０３を上昇させて硬貨カセットセットロック機構３０４をロックし、押板３０３を上昇させて硬貨カセット２００ｂと結合させる（ステップＳ２１０６）。このとき、硬貨カセット２００ｂに硬貨が収納できない程度まで押板３０３を上昇させた場合は、後述の（５）釣銭準備金が内部に収納された状態における売上金の入金処理が不可能になるため、硬貨カセット２００ｂに最低限の硬貨が収納できる程度まで上昇させる。
【００６２】
その後、制御部１３６は、貨幣カセット収納部セット検知センサ１２５により、貨幣カセット収納部がセットされたことを検知した場合（ステップＳ２１０７：Ｙ）、貨幣カセット収納部ロック機構１２４をロックする（ステップＳ２１０８）。さらに、扉ロック機構３０５を解除する（ステップＳ２１０９）。また、制御部１３６は、図１７に示すような釣銭準備金を釣銭準備金収納空間３１０にセットする旨を指示する、釣銭準備金セット指示画面１７０１を操作表示部１３１に表示させる（ステップＳ２１１０）。店舗の担当者は、釣銭準備金移動指示画面１４０１を見ながら扉１２１を開け、事前に準備した釣銭準備金を釣銭準備金収納空間３１０へセットする。その後、制御部１３６は、扉開閉検知センサ３０９によって扉１２１が閉められたことを検知した場合（ステップＳ２１１１：Ｙ）、扉ロック機構３０５をロックさせる（ステップＳ２１１２）。
【００６３】
扉ロック機構３０５をロックさせた後、制御部１３６は釣銭準備金の収納容量を釣銭準備金収納センサ３０６にて検出する（ステップＳ２１１３）。硬貨カセット２００の回収および装填の終了後、制御部１３６は、通信部１３４に対して、回収金額を含む回収情報を警備会社のホストコンピュータに送信させる制御を行う（ステップＳ２１１４）。さらに、明細票印字部１３２に対して、回収情報を明細票に印字させる制御を行い（ステップＳ２１１５）、記憶部１３５に記憶された回収金額を０円にリセットする（ステップＳ２１１６）。
【００６４】
（３）入金金額および回収金額の集計処理
実施例１と同様であるため、詳細な説明は省略する。
【００６５】
（４）釣銭準備金の取り出しと再収納
図２２は、釣銭準備金収納空間３１０から釣銭を取り出す処理を示すフローチャートである。制御部１３６は、扉ロック３０５機構のロックを解除する（ステップＳ２２０１）。店舗の担当者は、釣銭準備金収納空間３１０に収納された釣銭準備金を取り出すことが可能となる。
【００６６】
制御部１３６は、扉開閉検知センサ３０９によって扉１２１が閉められたことを検知した場合（ステップＳ２２０２：Ｙ）、扉ロック機構３０５をロックさせる（ステップＳ２２０３）。その後、釣銭準備金の収納容量を釣銭準備金収納センサ３０６にて検出し、収納容量を記憶部１３５に記憶する（ステップＳ２２０４）。
【００６７】
その後、制御部１３６は、通信部１３４に対して、釣銭取り出し情報を警備会社のホストコンピュータに送信させる制御を行う（ステップＳ２２０５）。
【００６８】
また、一旦取り出した釣銭準備金を釣銭準備金収納空間３１０に再度収納することも可能である。この場合の処理は図２２に示すフローチャートと同様であるため、詳細な説明は省略する。
【００６９】
（５）釣銭準備金が内部に収納された状態における売上金の入金処理
売上金の入金処理のうち、図８に示したフローチャートは実施例１と同様の処理であるため、詳細な説明は省略する。しかし、硬貨を硬貨カセット２００に搬送させる処理については、実施例１とは異なるので、図２３に示したフローチャートを用いて説明する。
【００７０】
硬貨カセット２００に硬貨が収納され、ニアフル検知センサ３０７によって硬貨を検知した場合（ステップＳ２３０１：Ｙ）、制御部１３６は、釣銭準備金の収納容量を釣銭準備金収納センサ３０６にて検出する（ステップＳ２３０２）。釣銭準備金の上端と押板３０３との距離Ａが予め定められた値Ｌ以上であれば（ステップＳ２３０３：Ｙ）、図２４に示すように、押板３０３を予め定められた距離Ｂだけ下げる（ステップＳ２３０４）。押板３０３を下げることにより、硬貨カセット２００の収納容量が増加し、多くの売上金を入金することが可能になる。なお、硬貨カセット２００の内部に収納された硬貨間の隙間を少なくするために、押板３０３を上下に振動させても良い。
【００７１】
一方、釣銭準備金の上端と押板３０３との距離Ａが予め定められた値Ｌ未満であれば（ステップＳ２３０３：Ｎ）、制御部１３６は、図１３に示すようなニアフル警告画面１３０１を操作表示部１３１に表示させ、入金処理を継続させるか否かを店舗の担当者に選択させる（ステップＳ２３０５）。
【００７２】
ニアフル警告画面１３０１において、「入金継続」キー１３０２が押された場合（ステップＳ２３０６：Ｙ）、入金処理が継続される。一方、「キャンセル」キー１３０３が押された場合（ステップＳ２３０６：Ｎ）、入金処理は終了となる。
【００７３】
その後、フル検知センサ３０８によって硬貨を検知した場合（ステップＳ２３０７：Ｙ）、制御部１３６は、図１４に示すようなフル警告画面１４０１を操作表示部１３１に表示させ、入金処理を中止させる（ステップＳ２３０８）。
【００７４】
以上のように、一旦釣銭準備金収納空間３１０から釣銭準備金を取り出し過ぎた場合に、売上金入金機１の外部に保管することなく、売上金入金機１の内部に戻すことが可能となり、セキュリティ面の向上につながる。
【実施例３】
【００７５】
本実施例は、実施例２における釣銭準備金の上端と押板３０３の位置の経時変化を操作表示部１３１に表示するとともに、硬貨カセット２００がニアフルとなる日を予測することを可能とした売上金入金機について説明する。本実施例によれば、店舗の担当者が、硬貨カセット２００がニアフルとなる可能性が高い日を予め把握しておくことにより、売上金入金機１から取り出す釣銭準備金の量を調整すること等が可能となる。
【００７６】
以下、硬貨カセット２００がニアフルとなる日（以下、ニアフル日）の予測について、図面を参照して説明する。
図２５は、本実施例における貨幣カセット収納部を示す図である。以下、釣銭準備金収納空間３１０の底部を基準とし、釣銭準備金収納センサ３０６にて検出された釣銭準備金の上端をｘ［ｃｍ］、押板３０３の位置をｙ［ｃｍ］として説明する。
【００７７】
図２６は、記憶部１３５に記憶されるニアフル予測データベース２６００を示す図である。ニアフル予測データベース２６００には、日付２６０１と、釣銭準備金の上端２６０２と、押板３０３の位置２６０３とから構成されている。なお、図２６の日付２６０１は、日付だけでなく時刻まで記録しても良い。この場合、硬貨カセット２００がニアフルとなる日付だけではなく時刻まで予測することが可能である。
【００７８】
図２７は、ニアフル予測処理を示すフローチャートである。制御部１３６は、釣銭準備金の上端を釣銭準備金収納センサ３０６にて検出する（ステップＳ２７０１）。なお、釣銭準備金の収納容量の検出は、例えば売上金の入金後に行うものとする。その後、制御部１３６は、釣銭準備金の収納容量ｘと押板３０３の位置ｙとを、記憶部１３５内のニアフル予測データベース２６００に記憶する（ステップＳ２７０２）。
【００７９】
次に、制御部１３６は、ニアフル予測データベース２６００に記憶された釣銭準備金の上端２６０２および押板３０３の位置２６０３から、釣銭準備金の上端ｘおよび押板３０３の位置ｙの予測を行う。具体的には、図２８に示すように、釣銭準備金の上端の予測関数Ｌｘ２８０１および押板３０３の位置の予測関数Ｌｙ２８０２を、それぞれ最小二乗法により算出する（ステップＳ２７０３）。
【００８０】
予測関数Ｌｘ２８０１およびＬｙ２８０２は、それぞれＬｘ：ｈ＝ａｘ×ｔ＋ｂｘ、Ｌｙ：ｈ＝ａｙ×ｔ＋ｂｙ（ａｘ、ａｙ＜０、ｈ：釣銭準備金収納空間３１０の底部を基準とした高さ、ｔ：硬貨カセット２００を装填した日を基準とした経過日）と一次関数の形で表されるものとする。 
予測関数Ｌｘ２８０１およびＬｙ２８０２の算出後、ニアフル日の算出を行う（ステップＳ２７０４）。具体的には、ＬｘとＬｙとの差分をＤ（ｔ）（すなわち、Ｄ（ｔ）＝（ａｘ−ａｙ）×ｔ＋（ｂｘ−ｂｙ））とし、ニアフル検知とする所定の差分をＺとした場合に、Ｄ（ｎ）＜Ｚ≦Ｄ（ｎ−１）が成立するｎ（ｎ：正整数）をニアフル日とする。
【００８１】
上記によってニアフル日が算出された場合（ステップＳ２７０４：Ｙ、制御部１３６は、図２９に示すようなニアフル予測画面２９０１を操作表示部１３１に表示させる（ステップＳ２７０５）。ニアフル予測画面２９０１には、予測関数Ｌｘ２８０１およびＬｙ２８０２を示したグラフ２９０２およびニアフル日２９０３を含むものとする。
【００８２】
一方、ニアフル日が算出されない場合（例えば、ｎが０および負整数であった場合、ステップＳ２７０４：Ｎ）は、算出失敗として処理を終了する。
【００８３】
なお、図２８の予測関数Ｌｙ２８０２は、釣銭準備金を釣銭準備金収納空間３１０に再度収納しないものとした（すなわち、ｘの値は前日よりも必ず減少する）が、釣銭準備金を釣銭準備金収納空間３１０に度収納し、ｘの値が前日よりも増加した場合であっても、上記と同様の取扱いをするものとする。
【００８４】
以上、本発明の実施例について図面を用いて説明したが、本発明は上記した実施例に限定されるものではなく、他の構成の追加・削除・置換をした様々な変形例が含まれていても良い。例えば、上記実施例では、押板３０３の移動をモータの駆動により制御しているが、硬貨カセット２００の自重により、あるいは手動により押板３０３を移動させても良い。また、上記実施例では、押板３０３を上下に移動させる構成としているが、押板３０３を売上金入金機１の前後に移動させる構成としても良い。
【符号の説明】
【００８５】
１：売上金入金機、１００：紙幣処理部、１０１：紙幣入金部、１０２：紙幣繰出部、１０３：紙幣搬送部、１０４：紙幣識別部、１０５：紙幣振分け部、１０６：紙幣リジェクト部、１０７：紙幣一時保留部、１０８：紙幣一時保留部ロック機構、１０９：紙幣カセット、１１０：硬貨処理部、１１１：硬貨入金部、１１２：硬貨繰出部、１１３：硬貨搬送部、１１４：硬貨識別部、１１５：硬貨振分け部、１１６：硬貨リジェクト部、１１７：硬貨一時保留部、１１８：硬貨返却部、１１９：硬貨返却部ロック機構、１２０：貨幣カセット収納部、１２１：扉、１２２：硬貨カセット収納空間、１２３：紙幣カセット収納空間、１２４：貨幣カセット収納部ロック機構、１２５：貨幣カセット収納部セット検知センサ、１３１：操作表示部、１３２：明細票印字部、１３３：カード読取部、１３４：通信処理部、１３５：記憶部、１３６：制御部、２００：硬貨カセット、２０１：機構部、２０２：硬貨受入口、２０３：硬貨収納部ロック機構、２０４：接続部、２１１：硬貨収納部、２１２：取手部、２１３：接続部、２２０：ロック解除キー、３０１：硬貨カセットセット検知センサ、３０２：硬貨カセットアクセス防止カバー、３０３：押板、３０４：硬貨カセットロック機構、３０５：扉ロック機構、３０６：釣銭準備金収納量センサ、３０７：ニアフル検知センサ、３０８：フル検知センサ、３０９：扉開閉検知センサ、３１０:釣銭準備金収納空間、５０１：入金カード、５０２：回収・装填カード、５０３：集計カード、５０４：釣銭取出カード、７０１：スタンバイ画面、９０１：売上金投入指示画面、１００１：処理中画面、１１０１：入金額表示画面、１３０１：ニアフル警告画面、１４０１：フル警告画面、１６０１：収納部引出指示画面、１７０１：釣銭準備金セット指示画面、２６００：ニアフル予測データベース、２９０１：ニアフル予測画面
【図１】
0005509043.tif 000002
【図２】
0005509043.tif 000003
【図３】
0005509043.tif 000004
【図４】
0005509043.tif 000005
【図５】
0005509043.tif 000006
【図６】
0005509043.tif 000007
【図７】
0005509043.tif 000008
【図８】
0005509043.tif 000009
【図９】
0005509043.tif 000010
【図１０】
0005509043.tif 000011
【図１１】
0005509043.tif 000012
【図１２】
0005509043.tif 000013
【図１３】
0005509043.tif 000014
【図１４】
0005509043.tif 000015
【図１５】
0005509043.tif 000016
【図１６】
0005509043.tif 000017
【図１７】
0005509043.tif 000018
【図１８】
0005509043.tif 000019
【図１９】
0005509043.tif 000020
【図２０】
0005509043.tif 000021
【図２１】
0005509043.tif 000022
【図２２】
0005509043.tif 000023
【図２３】
0005509043.tif 000024
【図２４】
0005509043.tif 000025
【図２５】
0005509043.tif 000026
【図２６】
0005509043.tif 000027
【図２７】
0005509043.tif 000028
【図２８】
0005509043.tif 000029
【図２９】
0005509043.tif 000030